(57)【要約】【課題】  釣り用クッションゴムが複数のフィラメントからなる伸縮自在の合成繊維のクッシヨンゴムにし、一本の糸のように扱い易く更に、極細で強靭にして伸縮性に優れ、簡単にばらける事のない釣り用クッシヨンゴムにする事。【解決の手段】  釣り用クッションゴムにおいて、これらのクッション体１、を熱可塑性ポリウレタンエラストマー合成繊維を基台とする複数本の原糸２でなる集束糸体３又は、撚糸体４にし、これらに伸縮性樹脂系液状体５又は、ゴム系液状体５ａでの被覆を施し一体化し、伸縮糸６形態の構成にする。【選択図】図１
2008142068.tif 000002
【特許請求の範囲】
【請求項１】
釣り用クッションゴムにおいて、これらのクッション体（１）、を熱可塑性ポリウレタンエラストマー合成繊維を基台とする複数本の原糸（２）でなる集束糸体（３）又は、撚糸体（４）にし、これらに伸縮性樹脂系液状体（５）又は、ゴム系液状体（５ａ）での被覆を施し一体化し、伸縮糸（６）にしたことを特徴とする、伸縮糸でなる釣り用クッションゴム。
【請求項２】
前記する集束糸（３）又は、撚糸（４）に施した伸縮性樹脂系液状体（５）又は、ゴム系液状体（５ａ）を除去したことを特徴とする、請求項１記載の伸縮糸でなる釣り用クッションゴム。
【発明の詳細な説明】
【技術分野】
【０００１】  この発明は、釣り用クッシヨンゴムに関し、詳しくは道糸側とハリス糸側間に接続し、魚の当たりの引きや魚が釣れた際の衝撃を緩和し、ハリス糸の切断や魚の口切れの防止に使われる釣り用クッションゴムの改良で、従来のムク状のクッション体から合成繊維のフィラメント糸をベースにしたクッション体に改良する事で、数々の従来の課題を解決に向け具現化するものである。
【背景技術】
【０００２】この種の従来の技術として、一般的に知られる釣り用クッションゴムは、押出し成形での熱可塑性ポリウレタンエラストマー樹脂を素材とするムクの線材をクッション体とし、これらの線径や長さは釣りの対象となる魚の種類、大きさに応じて適宜選択されるものである為に、様様な仕様で加工されるが、例えば、直径１，０〜６，０ｍｍ長さは１５０〜２０００ｍｍ程度で、これらのクッシヨン体の両端は、金属製撚り戻し（サルカン）のリングに通されてループ状に丸め込んだ状態で先端が熱溶着されて釣り用クッションゴムとして商品化されている。【０００３】  そして、両端のサルカンは片方が道糸側に接続され、片方のサルカンは釣り針の接続するハリス糸側に接続されて適切な伸縮性を有しクッション効果を発揮し、魚が釣り針にかかった際の引きによる魚の外れや糸切れを有効に防止している。【０００４】  これらの釣り用クッシヨンゴムの釣り竿仕掛けでの対象とする主な釣りは、深海に生息する大物魚を釣る場合の寄せエサを詰め込んで攻めるカゴ釣りや、船で釣る寄せエサを詰め込む錘と一体化する容器からなるビシ釣りにつかわれるが、例えば水深５０ｍ〜６０ｍに生息するヒラマサ、イサキ釣り等に使うサオの仕掛けの釣り用クッションゴムは、体重３０ｋｇ，体長２ｍを超える、これらの大物には、クッション体は２〜３ｍｍ太さで３０ｃｍ長さで対応し、更に大物では、深海４００〜５００ｍに生息するアコウダイとなるとクッション体の太さは５ｍｍと言った具合に、強靭な釣り用クッシヨンゴムを仕掛けとして使われ、釣果を上げてる。
【発明の開示】
【発明が解決しようとする課題】
【０００５】  しかしながら、上記する従来技術の場合は大物魚を攻めるのもので、小物魚の弱いあたりや、口の軟弱な魚を引き上げるのに対応するための、極細のクッションゴムで適当な伸び率、引っ張り強度、硬度を備えると共に、充分な反発弾性を有し且つ引っ張り繰り返しに優れたクッション体やクッション性の落ちない太いクッション体が強く要望されていた。【０００６】  即ち、押出し成形弾性線条体のムクでの線径は、最少１，０ｍｍ太さが限界とされ、より細いクッション体の成形が出来ないことから、比較的小物魚の釣り用クッションゴムが商品化されずに今日に至っているとゆう課題が有る。【０００７】  そして又、深海での大物魚を攻めるのに寄せエサを魚の生息するタナまで沈めるのに海中を素早く沈める為に、比重の小さいウレタン樹脂の釣り用クッションゴムは太くなればなるほど大きな浮力が働き沈む抵抗が大きく、更には強い潮の流れに、流され易く、出来る限り細く強靭なクッションゴム程深海釣りに最適である等の課題が残る。【０００８】  更には、クッシヨン体の端のサルカンの接続は、熱溶着で一体化される為、一度伸びきったり、切断後はサルカン込みで破棄しなければならない等の課題がある。
【課題を解決するための手段】
【０００９】  この発明はかかる課題を解決するために、請求項１での発明は図１、図３、図４で述べるに、釣り用クッションゴムを構成するクッション体１を、熱可塑性ポリウレタンエラストマー合成繊維を基台とする複数本の原糸２でなる集束糸体３又は、撚糸体４にし、これらの表面に伸縮性樹脂系液状体５又は、ゴム系液状体５ａでの被覆を施し一体化した伸縮糸６にし、これらを所定の太さで所定の長さに切断し、両端をサルカンＢに具備するリングｂに結び接続Ｃ或いは熱溶着Ｄ接続等にて連結し、夫々のサルカンＢは片方が道糸側に、他の片方はハリス側に接続されす構成とする。【００１０】  次ぎに、請求項２での発明は図２で述べるに、前記する伸縮糸６に施した伸縮性樹脂系液状体５又は、ゴム系液状体５ａを除去する事で、原糸２が露出での構成とする。本実施例でのクッション体１は原糸２を撚糸体４にしそれらをサルカンＢの具備するリングｂとの接続を熱溶着Ｄ接続による連結での構成であるが、結び接続Ｃでの連結でも良い。
【発明の効果】
【００１１】  本発明は、上述の通り構成作用するので次ぎの優れた効果を奏する。即ち、請求項１での第一実施例では、弾性繊維の原糸（紡績糸）を複数本の集束糸体或いは撚糸体にし、其の表面に伸縮性樹脂系液状体の被覆を施された一本のクッション体にする事で、クッション体にサルカンを連結したりまたは、道糸やハリス糸と直結するのにばらける事無く一本の糸を扱う様に簡単に固く結んで接続が出来る事でクッション体のメンテナンスが容易で更に、水中で集束糸体、撚糸体がばらける事のない、伸縮糸でなる釣り用クッシヨンゴムを提供することが出来る。【００１２】  そして又、前記するコーティング剤となる、伸縮性樹脂系液状体やゴム系液状体は耐候性、強度、染色性などについての様様な優れた素材仕様を採用する事で、カラフルで更には、劣化の少ない伸縮糸でなる二重構造の釣り用クッションゴムを提供することが出来る。【００１３】  次ぎに請求項二実施例では、集束糸体、撚糸体の表面に他の物質をコーティングの施さない極細のクッション性の富んだ強靭なクッション体にする事が出来且つ、クッション体を数本の原糸にする事で、極細でなる強靭な伸縮するハリス糸として使うことも出来る。【００１４】  このように細く強い弾性繊維の原糸をクッション体として、釣り用のクッションゴムにする事で、水中に投げ込まれたこれらの比重の比較的小さいポリレタンエラストマーでのクッシヨン体は浮力を小さくし、沈むスピードを早め、或いは潮の流れの抵抗を少なくするのにクッション体の太さを細くするのに最適な伸縮糸でなる釣り用クッションゴムを提供する事が出来る。
【発明を実施するための最良の形態】
【００１５】  以下に図示の実施例に基づいて本発明を更に詳細に説明する。即ち、図１は本発明での第一実施例に基づく一部断面での要部斜視図で、図３、図４は本発明での同じく第一実施例に基づく要部断面での斜視図で、釣り用クッションゴムは、主要部は熱可塑性ポリウレタンエラストマー合成繊維での紡績糸工法での極細の原糸２を数本束ねた形態での集束糸体３をクッシヨン体１とし、或いは図４で示す様に集束糸体３を３本揃えて左撚りをかける撚糸加工での片撚糸を実施例とするが、集束糸体３は１本又は２本以上にし、右撚りでも良いし、其の他の幾つかの従来技術での撚り姿をクッション体１にし、こららの表面に極薄い皮膜を巻装するが、皮膜の材質は伸縮性樹脂系液状体５又は、ゴム系液状体５ａが選択され、これらの材質はクッション体１と同等の特性仕様で成る材質が望まれるが、これらの特性仕様に変化をもたらせ新たな機能を付加する事も容易で、このように集束糸体３又は撚糸体４の表面に被覆されてクッション体１を構成し、所定の太さと所定の長さでの仕様に加工される。【００１６】  これらの２層から成る表面滑らかなクッション体１の両端は、ばらける事無く図１で示す様にサルカンＢの具備するリングｂに通されて折り返された状態で先端が結び接続Ｃによって固く結束され、クッション体１とサルカンＢとが連結されて釣り用クッションゴムが構成され、これらの双方のサルカンＢの片方が道糸側に他の片方はハリス側に接続されて釣り場で使われるが、クッシヨン体１とサルカンＢとの連結は従来技術での熱溶着Ｄ接続でも良く、何れの連結でも目的は達成されるが、本発明での弾性繊維の紡績糸を基台とするクッション体１は屈曲自在の形態をとる事が出来る事でクッション体１の先端に連結するのに一本の糸結びを可能にしている。【００１７】  次ぎに、図２は本発明での第二実施例に基づく一部断面での要部斜視図で、釣り用クッションゴムの主要部であるクッション体１は熱可塑性ポリウレタンエラストマー合成繊維での紡績糸工法での極細の原糸２を使っての集束糸体３を３本揃えての撚糸体４に撚糸加工仕上げ形態からなる伸縮糸６での一本のクッション体１にし、所定の長さで切断されそれらの両先端にサルカンＢに具備するリングｂに通されて、折り返された状態で先端が熱溶着Ｄ接続での釣り用クッションゴムでの構成とし、外周には伸縮性樹脂系液状体５又はゴム系液状体５ａの被覆を除外しての構成としたものであるが、これらの釣り用クッションゴムは極めて細い糸状での弱い当たりで反応する小物魚や、ハリス糸を伸縮自在にし、これらのクッション体１を使っての釣りに使うことで釣り針に吊るした餌の動きに警戒心をそそる事無く、釣果をあげるに役たてる事が出来る。
【図面の簡単な説明】
【００１８】
【図１】  本発明に係わる第一実施例での一部断面での要部斜視図である。
【図２】  本発明に係わる第二実施例での一部断面での要部斜視図である。
【図３】  本発明に係わる第一実施例での要部断面斜視図である。
【図４】  本発明に係わる第一実施例での他の要部断面図である。
【符合の説明】
Ｂ    サルカン
ｂ    リング
１    クッション体
２    原糸
３    集束糸体
４    撚糸体
５    伸縮性樹脂系液状体
５ａ  ゴム糸液状体
６    伸縮糸
【図１】
2008142068.tif 000003
【図２】
2008142068.tif 000004
【図３】
2008142068.tif 000005
【図４】
2008142068.tif 000006